(57)【要約】【課題】巻き取り限度位置又は巻き戻し限度位置の微調整を可能にする。【解決手段】 駆動部の駆動を停止させるリミットスイッチ４１，４２をスイッチングするスイッチ操作部材４３，４４と、該スイッチ操作部材４３，４４のスイッチング位置を調整する調整つまみ４５，４６とが、減速歯車機構を介して連結されている。スイッチ操作部材４３，４４は、内周縁に歯部を有し、減速歯車機構として、スイッチ操作部材４３，４４に噛み合う歯部を外周縁に備え、歯数が該スイッチ操作部材よりも少ない外歯車４７，４８を有するものを用いている。これにより、調整つまみ４５，４６の回転運動は、減速されてスイッチ操作部材４３，４４に伝達されるため、スイッチ操作部材の回転量が小さくなり、スイッチ操作部材の細かな制御が可能になる。【選択図】  図７
2007274972.tif 000002
【特許請求の範囲】
【請求項１】
温室フィルムを巻き取り又は巻き戻しして開閉する巻き取り軸と、該巻き取り軸を回転させる駆動部とを備えた温室フィルム開閉装置において、
前記駆動部の駆動を停止させる駆動停止スイッチと、
前記駆動部の駆動により所定の角度回転し、前記巻き取り軸が温室フィルムの巻き取り方向限度位置又は巻き戻し方向限度位置に到達すると、前記駆動停止スイッチをスイッチングして前記駆動部の駆動を停止させるスイッチ操作部材と、
前記スイッチ操作部材を任意の角度回転させてその初期位置を調整し、該スイッチ操作部材によるスイッチング動作のタイミングを調節する初期位置調整部材とを備え、
前記スイッチ操作部材と前記初期位置調整部材とが、減速歯車機構を介して連結されており、
前記スイッチ操作部材の初期位置を調整するため、前記初期位置調整部材を回転させると、該初期位置調整部材の回転運動が減速されて前記スイッチ操作部材に伝達されることを特徴とする温室フィルム開閉装置。
【請求項２】
前記スイッチ操作部材が、外方に突出し、前記駆動停止スイッチを押圧する突出する突出片を備えると共に、内周縁に歯部を有する内歯車からなり、
前記減速歯車機構が、前記内歯車からなるスイッチ操作部材に噛み合う歯部を外周縁に備えると共に、歯数が該スイッチ操作部材よりも少なく、前記スイッチ操作部材の中心に対して偏心した位置に中心を有し、かつ、外周縁の内側に円周方向に沿って等間隔で形成された複数の孔部を有する外歯車を有してなり、
前記初期位置調整部材が、中心が前記スイッチ操作部材の中心に合致する細径部と、中心が前記外歯車の中心に合致し、前記外歯車の中央孔部に挿入される大径部とを有し、
前記外歯車の各孔部には、該孔部の内径よりも小さな外径の支持突起が挿入され、その状態で、前記初期位置調整部材を回転させると、前記外歯車が、前記スイッチ操作部材の中心回りを公転し、１公転毎に、前記スイッチ操作部材を前記外歯車との歯数差分、回転させる構造である請求項１記載の温室フィルム開閉装置。
【請求項３】
前記外歯車の各孔部を、前記支持突起から離脱させた状態で、前記初期位置調整部材を回転させると、該初期設定位置調整部材の回転動作に、前記外歯車及び前記スイッチ操作部材が同期して回転する請求項２記載の温室フィルム開閉装置。
【請求項４】
前記支持突起は、前記駆動部の回転を伝達する駆動伝達歯車に形成されており、前記駆動部を駆動させて巻き取り軸を回転させている際には、前記外歯車の各孔部内に、前記支持突起が位置しており、前記駆動部の駆動により前記駆動伝達歯車が回転すると、該支持突起を介して外歯車及びスイッチ操作部材が同期して回転することを特徴とする請求項２又は３記載の温室フィルム開閉装置。
【請求項５】
前記駆動停止スイッチは、温室フィルムの巻き取り方向限度位置用と巻き戻し方向限度位置用との２つが設けられており、前記スイッチ操作部材、初期位置調整部材、及び減速歯車機構は、それぞれの駆動停止スイッチに対応して設けられている請求項１〜４のいずれか１に記載の温室フィルム開閉装置。
【請求項６】
前記駆動停止スイッチが、リミットスイッチである請求項１〜５のいずれか１に記載の温室フィルム開閉装置。
【請求項７】
前記巻き取り軸による温室フィルムの開閉動作に伴い、ガイド用棒状部材に沿って前記駆動部を移動させるため、前記駆動部に付設される移動機構をさらに備え、
前記移動機構が、移動方向に沿って所定間隔をおいて配設された上段ローラ群及び下段ローラ群を有し、
前記上段ローラ群及び下段ローラ群は、それぞれ、前記ガイド用棒状部材の周面に当接可能に、円周方向に沿って略等間隔で３カ所以上に配置される車輪を備えてなる請求項１〜６のいずれか１に記載の温室フィルム開閉装置。
【請求項８】
前記上段ローラ群及び下段ローラ群を構成する車輪が、それぞれ、円周方向に沿って略等間隔で３カ所に配置されいる請求項７記載の温室フィルム開閉装置。
【発明の詳細な説明】
【技術分野】
【０００１】
本発明は、温室の側面や谷部等に配設され、換気のために開閉される温室フィルムを巻き取り又は巻き戻しして開閉するための温室フィルム開閉装置に関する。
【背景技術】
【０００２】
特許文献１では、駆動部に直流モータを使用した温室フィルムの開閉装置が開示されている。駆動部の駆動により巻き取り軸を回転させて温室フィルムを巻き取り又は巻き戻しして開閉する装置である。この開閉装置には、巻き取り側と巻き戻し側の各限度位置で駆動部の駆動を停止させる２つのリミットスイッチが設けられていると共に、この２つのリミットスイッチのスイッチング位置を任意に調節可能になっている。
【特許文献１】特開２００１−１２８５６３号公報
【発明の開示】
【発明が解決しようとする課題】
【０００３】
特許文献１に開示された開閉装置は、リミットスイッチをスイッチングするスイッチ操作部材と、該スイッチ操作部材を任意の角度回転させることにより、スイッチング位置を調節する初期位置調整部材とが、同期して動作する構成となっている。従って、初期位置調整部材を１回転させれば、スイッチ操作部材が１回転する構成である。このため、この初期位置調整部材を回転させることによって、巻き取り側又は巻き戻し側の限度位置を細かく調整することが困難である。すなわち、スイッチング位置を調整する場合、温室フィルムの開閉を何度か繰り返して再調整するが、特許文献１に示されたものでは、手指で操作する初期位置調整部材の回転角度と同じであるため、スイッチ操作部材を数度単位、あるいは数十度単位で調整することは非常に困難であった。なお、特許文献１では、駆動部に直流モータを用いているが、交流モータを用いたものでも同様の問題がある。
【０００４】
本発明は上記に鑑みなされたものであり、スイッチ操作部材の初期位置を細かく制御でき、温室フィルムの巻き取り側及び巻き戻し側の限度位置の僅かな調整も可能にする温室フィルム開閉装置を提供することを課題とする。
【課題を解決するための手段】
【０００５】
上記した課題を解決するため、請求項１記載の本発明では、温室フィルムを巻き取り又は巻き戻しして開閉する巻き取り軸と、該巻き取り軸を回転させる駆動部とを備えた温室フィルム開閉装置において、
前記駆動部の駆動を停止させる駆動停止スイッチと、
前記駆動部の駆動により所定の角度回転し、前記巻き取り軸が温室フィルムの巻き取り方向限度位置又は巻き戻し方向限度位置に到達すると、前記駆動停止スイッチをスイッチングして前記駆動部の駆動を停止させるスイッチ操作部材と、
前記スイッチ操作部材を任意の角度回転させてその初期位置を調整し、該スイッチ操作部材によるスイッチング動作のタイミングを調節する初期位置調整部材とを備え、
前記スイッチ操作部材と前記初期位置調整部材とが、減速歯車機構を介して連結されており、
前記スイッチ操作部材の初期位置を調整するため、前記初期位置調整部材を回転させると、該初期位置調整部材の回転運動が減速されて前記スイッチ操作部材に伝達されることを特徴とする温室フィルム開閉装置を提供する。
請求項２記載の本発明では、前記スイッチ操作部材が、外方に突出し、前記駆動停止スイッチを押圧する突出する突出片を備えると共に、内周縁に歯部を有する内歯車からなり、
前記減速歯車機構が、前記内歯車からなるスイッチ操作部材に噛み合う歯部を外周縁に備えると共に、歯数が該スイッチ操作部材よりも少なく、前記スイッチ操作部材の中心に対して偏心した位置に中心を有し、かつ、外周縁の内側に円周方向に沿って等間隔で形成された複数の孔部を有する外歯車を有してなり、
前記初期位置調整部材が、中心が前記スイッチ操作部材の中心に合致する細径部と、中心が前記外歯車の中心に合致し、前記外歯車の中央孔部に挿入される大径部とを有し、
前記外歯車の各孔部には、該孔部の内径よりも小さな外径の支持突起が挿入され、その状態で、前記初期位置調整部材を回転させると、前記外歯車が、前記スイッチ操作部材の中心回りを公転し、１公転毎に、前記スイッチ操作部材を前記外歯車との歯数差分、回転させる構造である請求項１記載の温室フィルム開閉装置を提供する。
請求項３記載の本発明では、前記外歯車の各孔部を、前記支持突起から離脱させた状態で、前記初期位置調整部材を回転させると、該初期設定位置調整部材の回転動作に、前記外歯車及び前記スイッチ操作部材が同期して回転する請求項２記載の温室フィルム開閉装置を提供する。
請求項４記載の本発明では、前記支持突起は、前記駆動部の回転を伝達する駆動伝達歯車に形成されており、前記駆動部を駆動させて巻き取り軸を回転させている際には、前記外歯車の各孔部内に、前記支持突起が位置しており、前記駆動部の駆動により前記駆動伝達歯車が回転すると、該支持突起を介して外歯車及びスイッチ操作部材が同期して回転することを特徴とする請求項２又は３記載の温室フィルム開閉装置を提供する。
請求項５記載の本発明では、前記駆動停止スイッチは、温室フィルムの巻き取り方向限度位置用と巻き戻し方向限度位置用との２つが設けられており、前記スイッチ操作部材、初期位置調整部材、及び減速歯車機構は、それぞれの駆動停止スイッチに対応して設けられている請求項１〜４のいずれか１に記載の温室フィルム開閉装置を提供する。
請求項６記載の本発明では、前記駆動停止スイッチが、リミットスイッチである請求項１〜５のいずれか１に記載の温室フィルム開閉装置を提供する。
請求項７記載の本発明では、前記巻き取り軸による温室フィルムの開閉動作に伴い、ガイド用棒状部材に沿って前記駆動部を移動させるため、前記駆動部に付設される移動機構をさらに備え、
前記移動機構が、移動方向に沿って所定間隔をおいて配設された上段ローラ群及び下段ローラ群を有し、
前記上段ローラ群及び下段ローラ群は、それぞれ、前記ガイド用棒状部材の周面に当接可能に、円周方向に沿って略等間隔で３カ所以上に配置される車輪を備えてなる請求項１〜６のいずれか１に記載の温室フィルム開閉装置を提供する。
請求項８記載の本発明では、前記上段ローラ群及び下段ローラ群を構成する車輪が、それぞれ、円周方向に沿って略等間隔で３カ所に配置されいる請求項７記載の温室フィルム開閉装置を提供する。
【発明の効果】
【０００６】
本発明の温室フィルム開閉装置は、駆動部の駆動を停止させる駆動停止スイッチをスイッチングするスイッチ操作部材と、該スイッチ操作部材のスイッチング位置を調整する初期位置調整部材とが、減速歯車機構を介して連結されている。従って、初期位置調整部材を回転させると、該初期位置調整部材の回転運動は、減速されてスイッチ操作部材に伝達される。この結果、初期位置調整部材の回転量よりも、スイッチ操作部材の回転量が小さくなるため、スイッチ操作部材の細かな制御が可能であり、温室フィルムの巻き取り側及び巻き戻し側の限度位置の僅かな調整が可能になる。
【０００７】
特に、スイッチ操作部材として、内周縁に歯部を有する内歯車からなるものを用い、減速歯車機構として、この内歯車からなるスイッチ操作部材に噛み合う歯部を外周縁に備え、歯数が該スイッチ操作部材よりも少ない外歯車を有するものを用い、さらに、初期位置調整部材として、中心がスイッチ操作部材の中心に合致する細径部と、中心が外歯車の中心に合致する大径部とを有するものを用いると、減速比を大きくとれるため、初期位置調整部材を回転させることによるスイッチ操作部材の初期位置の調整をより細かく行うことができる。
【発明を実施するための最良の形態】
【０００８】
以下、図面に示した実施形態に基づき本発明をさらに詳細に説明する。図１は、本発明の―の実施形態にかかる温室フィルム開閉装置１の外観を示す概略平面図であり、図２は背面図である。
【０００９】
図１及び図２に示したように、本実施形態の温室フィルム開閉装置１は、駆動部１０、移動機構２０、巻き取り軸３０、及び制御部４０を有して構成される。駆動部１０は、駆動源となるモータ１１と、該モータ１１を支持すると共に、内部にモータ１１の回転駆動力を伝達するギア機構（図示せず）等が内蔵されたケーシング１２とを備えて構成される。ケーシング１２には、管状支持軸１３が設けられており、この管状支持軸１３に巻き取り軸３０の端部が挿通されて連結されている。また、管状支持軸１３の一端は制御部４０に設けられたウオーム５１に連結されている（図４、図５参照）。
【００１０】
移動機構２０は、駆動部１０に付設されており、中央に挿通されるガイド用棒状部材２５の周面に各車輪２１ａ，２２ａが接し、該ガイド用棒状部材２５に沿って移動し得るように設けられている。すなわち、この移動機構２０を有することにより、駆動部１０のモータ１１が回転した際に、該駆動部１０の自転が防止され、駆動部１０の駆動が巻き取り軸３０に伝達される。これにより、巻き取り軸３０が温室フィルムを巻き取り又は巻き戻ししていくと、移動機構２０が、駆動部１０及び制御部４０と共に、ガイド用棒状部材２５に沿って上昇又は下降する。
【００１１】
移動機構２０は、かかる機能を果たすものであればどのような構造のものであってもよく、上記特許文献１で開示されたものを用いることもできるが、本実施形態では次のような構造のものを用いている。
【００１２】
すなわち、この移動機構２０は、図１〜図３に示したように、移動方向に沿って所定間隔をおいて配設された上段ローラ群２１及び下段ローラ群２２を有し、該上段ローラ群２１及び下段ローラ群２２が、それぞれ、ガイド用棒状部材２５の周面に当接可能であると共に、円周方向に沿って略等間隔で３カ所に、すなわち、略１２０度間隔で配置される車輪２１ａ，２２ａを備えてなる。これにより、ガイド用棒状部材２５を挟んで２つの車輪を配置しただけの構造と比較して、駆動部１０の重さ等によって生じる巻き取り軸３０のスラスト方向の偏荷重を受けることができ、移動機構２０の車輪２１ａ，２２ａがガイド用棒状部材２５に沿って移動する際に、いわゆるかじり現象（ロック現象）等が生じることを抑制でき、円滑な移動を可能にする。
【００１３】
なお、車輪２１ａ，２２ａは、円周方向に沿って４カ所以上に設けることもできるが、できるだけ少ない車輪数で、低コストでありながら、より確実に偏荷重を受けられることから、本実施形態のように３カ所に略等間隔で配置することが好ましい。また、各車輪２１ａ，２２ａはベアリングを介して支持するなど、回転時の摩擦抵抗を小さくすることが好ましい。回転時の摩擦抵抗が小さいと、ガイド用棒状部材２５に沿っての移動がよりスムースになるため、巻き取り軸３０に生じる偏荷重が小さくなり、上段ローラ群２１と下段ローラ群２２との間隔を小さくしたりするなどの小型化が可能である。また、各車輪２１ａ，２２ａは、図１〜図３に示したように、平面視で略Ｖ字状ないしは略Ｕ字状、あるいは、ガイド用棒状部材２５の周面に沿った円弧状に形成したものを用いることが好ましい。これにより、偏荷重が加わった際にガイド用棒状部材２５の回りを円周方向に位置ずれすることを抑制できる。
【００１４】
制御部４０には、図４〜図６に示したように、駆動部１０のモータ１１の駆動を停止させる駆動停止スイッチとしての２つのリミットスイッチ４１，４２が配設されている。一方のリミットスイッチ４１は巻き取り側の限度位置で接点がスイッチングされるとモータ１１の駆動を停止させ、他方のリミットスイッチ４２は巻き戻し側の限度位置で接点がスイッチングされるとモータ１１の駆動を停止させる。各リミットスイッチ４１，４２に対応して、２つのスイッチ操作部材４３，４４及び初期位置調整部材である２つの調整つまみ４５，４６が設けられていると共に、各スイッチ操作部材４３，４４と各調整つまみ４５，４６とが、それぞれ減速歯車機構を介して連結されている。スイッチ操作部材４３，４４は、駆動部１０の駆動に伴って、初期位置から所定量回転すると、リミットスイッチ４１，４２の接点４１ａ，４２ａを押圧してスイッチング可能なように、環状に形成されていると共に、略山形ないしは略三角形状になって外方に突出する突出片４３ｂ，４４ｂを備えている。
【００１５】
一方、制御部４０は、上記したように、管状支持軸１３の一端が連結されるウオーム５１を有し、このウオーム５１を介して、駆動部１０の駆動がスイッチ操作部材４３，４４に伝達される。具体的には、制御部４０内には、図５〜図７に示したように、ウオーム５１に噛み合うウオームホイール５２が配設されていると共に、ウオームホイール５２には、同軸上に、該ウオームホイール５２の回転に伴って回転する第１のかさ歯車５３が設けられている。第１のかさ歯車５３には、軸芯方向の一端側と他端側とに、２つの歯部５３ａ，５３ｂが形成されており、各歯部５３ａ，５３ｂには、それぞれに噛み合うように第２のかさ歯車５４，５５が設けられている。なお、ウオーム５１、ウオームホイール５２、第１のかさ歯車５３、第２のかさ歯車５４，５５は、請求項４で定義した駆動伝達歯車を構成する。
【００１６】
第２のかさ歯車５４，５５は、ウオームホイール５２及び第１のかさ歯車５３の回転支軸５７に対して直交する方向に設けられた２つの回転支軸５８，５９にそれぞれ支持されている。また、駆動伝達歯車の一つを構成する第２のかさ歯車５４，５５の背面には、それぞれ、複数の支持突起５４ａ，５５ａが設けられている。本実施形態では、図８に示したように、それぞれ８つの支持突起５４ａ，５５ａが設けられており、この支持突起５４ａ，５５ａに、上記した減速歯車機構を構成する外歯車４７，４８が支持される。
【００１７】
減速歯車機構は、外周縁に歯部４７ａ，４８ａを備えた外歯車４７，４８を有すると共に、内歯車構造に形成されたスイッチ操作部材４３，４４自体も減速歯車機構の一部を構成する。より具体的には、スイッチ操作部材４３，４４は内周縁に歯部４３ａ，４４ａを有する内歯車構造に形成されており、外歯車４７，４８は、該スイッチ操作部材４３，４４の内周縁内に配置され、外歯車４７，４８の歯部４７ａ，４８ａがスイッチ操作部材４３，４４の歯部４３ａ，４４ａに噛み合うように配置される。外歯車４７，４８は、その歯部４７ａ，４８ａの一部のみが、スイッチ操作部材４３，４４の歯部４３ａ，４４ａに噛み合うような大きさで形成されており、該外歯車４７，４８の歯部４７ａ，４８ａの歯数は、スイッチ操作部材４３，４４の歯部４３ａ，４４ａの歯数よりも少なくなっている（図８参照）。本実施形態では、両者の歯数差を１に設定しているが、これに限定されるものではない。また、外歯車４７，４８には中央孔部４７ｂ，４８ｂが形成されていると共に、該中央孔部４７ｂ，４８ｂの周囲であって外周縁（歯部４７ａ，４８ａ）の内側には円周方向に沿って等間隔で形成された複数の孔部４７ｃ，４８ｃが形成されている。この孔部４７ｃ，４８ｃには、上記した支持突起５４ａ，５５ａが挿入されるため、本実施形態では、孔部４７ｃ，４８ｃは、支持突起５４ａ，５５ａと同様に、８つ設けられている。また、孔部４７ｃ，４８ｃの内径は、支持突起５４ａ，５５ａの外径よりも大きな径で形成されている。
【００１８】
外歯車４７，４８の中央孔部４７ｂ，４８ｂの中心Ｐは、各回転支軸５８，５９、各第２のかさ歯車５４，５５及び各スイッチ操作部材４３，４４の軸心（中心）Ｑからずれた位置（偏心位置）になるように設けられている。具体的には、各調整つまみ４５，４６が、図９に示したように、細径部４５ａ，４６ａと大径部４５ｂ，４６ｂとを備えると共に、細径部４５ａ，４６ａの中心と大径部４５ｂ，４６ｂの中心とが一致しないように形成された筒状体から形成されており、その中空部内に回転支軸５８，５９を挿入して取り付けた際には、細径部４５ａ，４６ａの中心が、各回転支軸５８，５９、各第２のかさ歯車５４，５５及びスイッチ操作部材４３，４４の軸心（中心）Ｑに一致するように配設される。大径部４５ｂ，４６ｂは、外歯車４７，４８の中央孔部４７ｂ，４８ｂに挿入されて、大径部４５ｂ，４６ｂの中心が外歯車４７，４８の中心Ｐと一致するように配設される。なお、各調整つまみ４５，４６は、中空部に挿入される各回転支軸５８，５９の周囲を回転するように設けられていてもよいし、各回転支軸５８，５９と共にケーシング６０に対して回転するように設けられていてもよい。
【００１９】
スイッチ操作部材４３，４４は、図７及び図１０に示したように、外歯車４７，４８の周囲を取り囲む大環状部４７ｄ，４８ｄと調整つまみ４５，４６の周囲を取り囲む小環状部４７ｅ（４８ｅ）との段差を有する構造で形成されているが、大環状部４７ｄ，４８ｄと小環状部４７ｅ，４８ｅとは別体に形成し、小環状部４７ｅ，４８ｅがケーシング６０に対して固定され、大環状部４７ｄ，４８ｄのみが回転するように設けてもよい。小環状部４７ｅ，４８ｅの内面には、調整つまみ４５，４６の周囲を取り囲むコイルスプリング４９の一端が固定されている。コイルスプリング４９の他端は、外歯車４７，４８に少なくとも一部が当接しており、該外歯車４７，４８を第２のかさ歯車５４，５５に押し付け、孔部４７ｃ，４８ｃが常態において支持突起５４ａ，５４ｂの外側に位置するように付勢している。このため、図１１に示したように、調整つまみ４５，４６を手前に引けば、該コイルスプリング４９の弾性に抗して、外歯車４７，４８が調整つまみ４５，４６と共に手前に移動し、各孔部４７ｃ，４８ｃが支持突起５４ａ，５５ａに接しない位置となるように離脱させる。
【００２０】
次に、本実施形態の作用について説明する。まず、温室フィルムを巻き取り又は巻き戻す際の動作では、図１０に示したように、外歯車４７，４８の孔部４７ｃ，４８ｃが第２のかさ歯車５４，５５の支持突起５４ａ，５５ａに係合した状態になっている。また、スイッチ操作部材４３，４４は、突出片４３ｂ，４４ｂが適宜の位置となるように設定されている。この状態で、駆動部１０のモータ１１が駆動すると、管状支持軸１３を介して巻き取り軸３０が回転し、温室フィルムを巻き取り又は巻き戻ししていく。温室フィルムを巻き取り又は巻き戻ししていくと、移動機構２０がガイド用棒状部材２５に沿って上昇又は下降し、これに伴って本実施形態の温室フィルム開閉装置１全体が上昇又は下降する。なお、この際、本実施形態で示した移動機構２０を使用すると、温室フィルムの巻き取り又は巻き戻しの際の偏荷重の吸収に優れ、移動機構２０がガイド用棒状部材２５に沿って円滑に上下動できることは上記したとおりである。
【００２１】
一方、モータ１１の駆動によって管状支持軸１３及び巻き取り軸３０が回転すると、該管状支持軸１３の一端に連結された制御部４０のウオーム５１が回転する。ウオーム５１が回転すると、ウオームホイール５２が回転し、これに伴って第１のかさ歯車５３が回転する。そして、第１のかさ歯車５３の各端部に設けられた２つの歯部５３ａ，５３ｂに噛み合っている２つの第２のかさ歯車５４，５５がそれぞれ回転する。第２のかさ歯車５４，５５が回転すると、支持突起５４ａ，５５ａが、嵌り合っている孔部４７ｃ，４８ｃの内壁を押圧し、図８に示したように、外歯車４７，４８の歯部４７ａ，４８ａの一部をスイッチ操作部材４３，４４の歯部４３ａ，４４ａに押し付ける。この結果、内歯車構造のスイッチ操作部材４３，４４は、外歯車４７，４８とは相対回転せず、外歯車４７，４８と同期して回転する。
【００２２】
従って、駆動部１０のモータ１１により管状支持軸１３が回転し、巻き取り軸３０が回転して温室フィルムを巻き取っていくと、制御部４０では、ウオーム５１、ウオームホイール５２、第１のかさ歯車５３、第２のかさ歯車５４，５５及び外歯車４７，４８を介して、各スイッチ操作部材４３，４４が所定方向に回転する。そして、各スイッチ操作部材４３，４４が所定方向に所定量回転すると、突出片４３ｂ，４４ｂが各リミットスイッチ４１，４２の接点４１ａ，４２ａを押圧し、回路を遮断して、駆動部１０のモータ１１の駆動を停止させる。例えば、巻き取り限度位置（上限位置）では、一方のスイッチ操作部材４３の突出片４３ｂが一方のリミットスイッチ４１の接点４１ａを押圧してモータ１１の駆動を停止させ、巻き戻し限度位置（下限位置）では、他方のスイッチ操作部材４４の突出片４４ｂが他方のリミットスイッチ４２の接点４２ａを押圧してモータ１１の駆動を停止させる。
【００２３】
一方、巻き取り限度位置又は巻き戻し限度位置の調整、すなわち、スイッチ操作部材４３，４４の突出片４３ｂ，４４ｂの初期位置の調整は次のように行う。まず、初期位置を大きく調整したい場合は、調整つまみ４５，４６を図１１に示したようにコイルスプリングの弾性力に抗して手前に引き、外歯車４７，４８の孔部４７ｃ，４８ｃが第２のかさ歯車５４，５５の支持突起５４ａ，５５ａの周囲に位置しないようにする。この常態では、調整つまみ４５，４６を回転させると、その大径部４５ｂ，４６ｂに連結されている外歯車４７，４８は、その中心Ｐがスイッチ操作部材４３，４４の中心Ｑ回りを公転するが、外歯車４７，４８の動きは規制されないため、スイッチ操作部材４３，４４の歯部４３ａ，４４ａに押し付けられた状態で、調整つまみ４５，４６と共に回転する。このため、スイッチ操作部材４３，４４もこれらに同期して回転する。従って、この場合には、調整つまみ４５，４６の回転量と同じだけスイッチ操作部材４３，４４の突出片４３ｂ，４４ｂが回転する。この状態で、調整つまみ４５，４６を戻すと、コイルスプリングの弾性力により、図１０に示したように、外歯車４７，４８は第２のかさ歯車５４，５５の背面に押し付けられると共に、孔部４７ｃ，４８ｃが支持突起５４ａ，５５ａの周囲に位置するように嵌り合う。
【００２４】
次に、孔部４７ｃ，４８ｃと支持突起５４ａ，５５ａが嵌り合った状態で、調整つまみ４５，４６を回転させると、外歯車４７，４８は、その中心Ｐがスイッチ操作部材４３，４４の中心Ｑ回りを公転するが、その際に、外歯車４７，４８の孔部４７ｃ，４８ｃの内壁が支持突起５４ａ，５５ａの周面に接するため、それに規制されることにより、外歯車４７，４８は、調整つまみ４５，４６の回転動作に同期せず、スイッチ操作部材４３，４４に対して相対回転し、外歯車４７，４８の歯部４７ａ，４８ａとスイッチ操作部材４３，４４の歯部４３ａ，４４ａとの噛み合いがずれていく。この結果、外歯車４７，４８が、スイッチ操作部材４３，４４の中心Ｑ回りを１公転する毎に、スイッチ操作部材４３，４４が、外歯車４７，４８との歯数差分、本実施形態では１歯分回転する。従って、調整つまみ４５，４６の回転量に対して、スイッチ操作部材４３，４４の回転量が大幅に小さくなるため、スイッチ操作部材４３，４４の突出片４３ｂ，４４ｂの初期位置を細かく制御でき、巻き取り限度位置又は巻き戻し限度位置の微調整を極めて容易に行うことができる。
【図面の簡単な説明】
【００２５】
【図１】図１は、本発明の一の実施形態にかかる温室フィルム開閉装置を示す概略平面図である。
【図２】図２は、上記実施形態にかかる温室フィルム開閉装置を示す背面図である。
【図３】図３は、上記実施形態の温室フィルム開閉装置で用いた移動機構を示す図である。
【図４】図４は、上記実施形態の温室フィルム開閉装置で用いた制御部の外観を示す図である。
【図５】図５は、上記実施形態の温室フィルム開閉装置で用いた制御部の内部を示す図である。
【図６】図６は、図５の正面図である。
【図７】図７は、図６のＡ−Ａ線矢視図である。
【図８】図８は、上記実施形態の作用を説明するための図であって、スイッチ操作部材、外歯車、支持突起の配置関係を示す図である。
【図９】図９は、調整つまみの外観を示す図である。
【図１０】図１０は、外歯車の孔部が、第２のかさ歯車の支持突起の周囲に位置している状態を示す断面図である。
【図１１】図１１は、調整つまみを手前に引き、外歯車の孔部が、第２のかさ歯車の支持突起の周囲から離脱している状態を示す断面図である。
【符号の説明】
【００２６】
１  温室フィルム開閉装置
１０  駆動部
１１  モータ
１３  管状支持軸
２０  移動機構
２１  上段ローラ群
２２  下段ローラ群
２１ａ，２２ａ  車輪
３０  巻き取り軸
４０  制御部
４１，４２  リミットスイッチ
４３，４４  スイッチ操作部材
４３ａ，４４ａ  歯部
４５，４６  調整つまみ
４７，４８  外歯車
４７ａ，４８ａ  歯部
４７ｃ，４８ｃ  孔部
５１  ウオーム
５２  ウオームホイール
５３  第１のかさ歯車
５４，５５  第２のかさ歯車
５４ａ，５５ａ  支持突起
【図１】
2007274972.tif 000003
【図２】
2007274972.tif 000004
【図３】
2007274972.tif 000005
【図４】
2007274972.tif 000006
【図５】
2007274972.tif 000007
【図６】
2007274972.tif 000008
【図７】
2007274972.tif 000009
【図８】
2007274972.tif 000010
【図９】
2007274972.tif 000011
【図１０】
2007274972.tif 000012
【図１１】
2007274972.tif 000013